(57)【特許請求の範囲】
【請求項１】
車両の車輪支持ハブ上で元の位置でタイヤ／車輪組立体の不均一性を測定するための携帯型試験装置に於いて、
該タイヤ／車輪組立体の回転中に該タイヤ／車輪組立体の表面のたわみをモニターして該表面たわみを示す第１の出力信号を発生するプローブと、
均一性をモニターされる該タイヤ／車輪組立体の表面に隣接して該プローブを保持するためのホルダーと、
回転中に該タイヤ／車輪組立体の回転位置を示す第２の出力信号を発生するためのインデックス装置であって、該タイヤ／車輪組立体が該車両に設置されている間に、該車両の該車輪支持ハブの外側表面へ該インデックス装置を取り外し可能に結合するための取り付け機構を有している該インデックス装置と、
該タイヤ／車輪組立体の該不均一性を表す少なくとも１つのパラメータを示す出力を供給するために該プローブ及びインデックス装置からの第１及び第２出力信号を受信し処理するための電子式処理装置を具備することを特徴とする
携帯型試験装置。
【発明の詳細な説明】
【０００１】
【産業上の利用分野】
本発明は一般的にはタイヤを試験するためのシステムと方法に関する。特に本発明は、タイヤ／車輪組立体（tire/wheel assemblies）｛又は他の回転部材(rotating members）｝の均一性、特に半径方向の振れ（radial runout)を測定するために現地の試験場所へ容易に運搬出来る携帯型システムに関する。
【０００２】
【発明が解決しようとする課題】
タイヤの半径方向の振れ、すなわち真円度不良（out of roundness）を含め、タイヤの均一性を測定するために様々な種類の機械が開発されて来た。これらの機械の多くは実験室での設定用に構成されている一方、他のものは現地で使用するように意図されている。後者の種類の機械の例は米国特許第５、４４８、９１０号に開示されている。この機械は、例えば完成車が試験され、振動が検出される自動車生産工場へ運搬することが出来る。その際、該タイヤ／車輪組立体は、問題を生じている該振動が該タイヤ／車輪組立体に内在するものか否かを決定するために試験することが出来る。これにより試験のため該タイヤ／車輪組立体を遠方の実験室へ時間をかけて輸送する必要が無くなる。
【０００３】
幾つかの理由から該タイヤ／車輪組立体が車両に設置されている儘の間にタイアの均一性特に半径方向の振れを測定出来る試験装置があれば有利である。例えば、これにより該車輪ーハブ境界部から生ずる振れの問題を検出出来る。又これにより該タイヤ／車輪を車両から外し、試験機へ取り付ける必要も無くなる。更に、このような試験装置が容易に携行出来る程小型軽量で、特に該試験装置が１箇所から他へ手で運ぶことが出来る寸法や重さであると有利である。
【０００４】
【課題を解決するための手段】
本発明は回転部材、特にタイヤ／車輪組立体の不均一性を車両のハブ支持用車輪上で、元の位置で、測定するための携帯型システムを提供する。該システムは特に、該タイヤ／車輪組立体の回転中に該タイヤ／車輪組立体の表面のたわみ（deflections）をモニターし、該表面たわみを示す出力信号を発生するプローブと、その回転中にタイヤ／車輪組立体の回転位置を示す出力信号を発生するためのインデックス装置とを含む軽量な部品組立体で、該インデックス装置は該タイヤ／車輪組立体へ取り外し可能な結合するための取り付け機構を有していることを特徴としている。本発明の好ましい実施例によると、該プローブを均一性をモニターするタイヤ／車輪組立体の表面へ隣接して保持するためのホルダーと、該タイヤ／車輪組立体の不均一性を表す少なくとも１つのパラメータを示す出力を提供するために該プローブとインデックス装置からの出力信号を受信して処理するための電子式処理装置が備えられている。
【０００５】
更に本発明の好ましい実施例によると、該インデックス装置は、ハウジングと、読み取り動作を始動するための該ハウジング上のスタートスイッチを備えており、該読み取り動作の間、該タイヤ／車輪組立体が回転中に該プローブ及びインデックス装置からの出力信号が該電子式処理装置により受信される。好ましいインデックス装置は該取り付け機構に連結され回転入力を有するエンコーダと、該タイヤ／車輪組立体に契合した該取り付け機構を有する該タイヤ／車輪組立体に隣接して位置付けるために使用者の手で保持するよう適合されたハウジングとを備えている。
【０００６】
本発明による取り付け機構の好ましい形は該車輪を支持するハブに該タイヤ／車輪組立体を固定するそれぞれのラグナット／ボルト（lug nut/bolt）を受けるための１つ以上のソケットと該ソケット用の回転可能な設置部を含んでいる。該ソケットは、好ましくは該回転可能な設置部の複数の半径方向に伸びたスロットの構成により、該回転可能な設置部上で該回転可能な設置部の回転軸線に対して半径方向に調整可能である。該ソケットはそれぞれのスロットに沿った調整のために該回転可能な設置部に設置される。又好ましくは、該スロットは種々の車輪用ラグパターンに対応するよう戦略的に配置されるのが良い。４個のそして５個のラグのパターンに対する好ましい配置は正反対の関係にある第２及び第３スロットに直角に配置された第１スロットと、該第２及び第３スロットとそれぞれ５４度の角度を形成する第４及び第５スロットを備えることである。もう１つの偶数個のラグのパターンのための配置では、１対の正反対の関係にあるスロットが該ソケット用回転可能な設置部に備えられる。
【０００７】
更に本発明の好ましい実施例によると、電子式処理装置は該タイヤ／車輪組立体の該不均一性を表す少なくとも１つのパラメータのグラフ式表示を提供する。又該プローブを適切に動作させるためにモニターされる該表面から所定の間隔内に該プローブを据え付けることを容易にするためプローブ据え付け装置が備えられる。好ましいプローブ据え付け装置は該プローブの出力を示すパラメータを表示するための表示部を備えている。
【０００８】
好ましいホルダーは該プローブが設置されるスタンドを備えている。該スタンドは水平面上で安定に静止するように適合されており、該プローブは該スタンドに調整可能な支軸により設置される。第２のプローブも又調整可能な柄により該スタンドに設置され、該第１のプローブの位置とは異なる位置で該タイヤ／車輪組立体の表面をモニターするために使用される。
【０００９】
本発明のもう１つの側面によると、車両の車輪支持ハブ上で、元の位置で、回転部材、特にタイヤ／車輪組立体の不均一性を測定するための方法が、（I）均一性をモニターされるタイヤ／車輪組立体の表面に隣接してプローブを据え付ける過程を具備し、該プローブは該タイヤ／車輪組立体の回転中に該タイヤ／車輪組立体の表面のたわみをモニターし、該表面のたわみを示す出力信号を発生するよう作動しており、（II）該方法は又その回転中に該タイヤ／車輪組立体の回転位置を示す出力信号を発生するよう作動するインデックス装置を該タイヤ／車輪組立体に取り外し可能に結合する過程と、（III）該プローブとインデックス装置にその出力信号を発生させるために該タイヤ／車輪組立体を回転させる過程と、（IV）該タイヤ／車輪組立体の不均一性を表す少なくとも１つのパラメータを示す出力を供給するために該プローブとインデックス装置が発生する該出力信号を受信し処理する電子式処理装置を使用する過程とを具備している。好ましくは該インデックス装置の該ハウジング上のスタートスイッチが読み取り動作を始動するために使用され、該読み取り動作の間、該タイヤ／車輪組立体の回転中該プローブとインデックス装置からの該出力信号が該電子式処理装置により受信されるのが良い。又該インデックス装置は使用者の手により該タイヤ／車輪組立体と契合して保持され、該プローブを適切に動作させるためにモニターされる表面から所定の間隔内に該プローブを据え付けるためにプローブ据え付け装置が使用されるのが好ましい。
【００１０】
本発明の上記及び他の特徴はこの後、請求項、下記の説明及び本発明の１つ以上の図解された実施例を詳細に表す付属図面で充分に説明し、特に指摘されるが、しかしながらこれらは本発明の原理が使用出来る種々の方法の唯１つ又は幾つかを示すに過ぎない。
【００１１】
【実施例】
ここで図面で、最初に図１を詳細に参照すると、本発明による携帯型振れ測定システムの好ましい実施例は概略２０で示される。該振れ測定システム２０は概括するとプローブ組立体２１、インデックス装置２２及び電子式処理装置２３を具備している。図１では、他種回転部材の均一性測定に使用しても良いことは評価されるであらうが、該システムが均一性を試験されるタイヤ／車輪組立体２６と動作関係にある状態で示されている。好ましいことであるが、該タイヤの均一性、特に半径方向の振れは該タイヤ／車輪組立体が車両２９のハブ２８（図２）を支持する車輪に設置されている儘で測定可能である。これにより輸送  及び／又は  試験装置への設置のため該タイヤ／車輪組立体を該車両から取り外す必要を無くするのみならず、該車輪ーハブの境界部から起こる振れの問題をも検出可能になる。該タイヤ／車輪組立体は車輪３１に設置されたタイヤ３０から成っている。
【００１２】
使用時電子式処理装置２３は便宜上カート３４上に載せることも出来る。該カートは又下段の棚上のバッテリーの様な電源、使用せぬ時のプローブ組立体２１とインデックス装置２２を載せる構造を有しても良い。この構成は自動車組立工場の様な既存の施設に於いて、該システムを転々と移動し易くする。該システムを一箇所から他へ輸送するために該プローブ組立体、インデックス装置及び処理装置をスーツケース又は同じ様な手で運べる容器に簡便に梱包することも出来る。該カート３４は該スーツケースで運ぶ他の部品と一緒に輸送し易いように分解型にしても良い。
【００１３】
該プローブ組立体２１は１対のプローブ３８を含んでいるが、但しプローブ１個だけ又は希望により３個以上のプローブを使用しても良い。各プローブ３８は該プローブの位置をユニバーサルに調整可能にするグースネック型支軸（stem）の様な調整可能な支軸４０によりスタンド３９に設置される。図解された好ましい実施例の該スタンド３９は床の様な水平面上に安定に静止するように適合されているが、しかしながら試験されるタイヤ／車輪組立体２６の表面に近く接近して該プローブを据え付けるために他の型のスタンドやプローブ支柱（supports）を使用しても良い。図示のように該スタンド３９はハンドル４３を装備した３角板４２を備えていても良い。該板の下側には該床上で３点支持（three point support）を行うように該板のそれぞれの隅に足部(feet)４５ー４７が備えられている。該プローブの最適な安定据え付けのために該前部足部４７のように、該足部の少なくとも１つは該板の傾斜を変えるために垂直に調整可能である。
【００１４】
半径方向の振れを測定する目的で、該タイヤ／車輪組立体２６の真円度（roundness）（反対に、真円度不良）の測定を可能にするために該トレッド面のたわみを検出又はモニターするために該タイヤ３０のトレッド５０に隣接して該１個又は複数個のプローブ３８が据え付けられる。通常は該トレッドの中央リブが半径方向の振れのために測定されるが、しかしながら、半径方向の振れは該肩部リブ又は中間リブのような他の位置で測定しても良く、その時は異なる位置での同時測定用に両プローブ３８を使用するのが好ましい。該プローブは又横方向の振れを測定するために据え付けられても良い。
【００１５】
他の種類のプローブも使用出来ることは理解されるであらうが、本発明の該図解された好ましい実施例では、該プローブ３８は非接触型で、好ましくは静電容量式プローブが良い。トレッド表面の様なモニターされる該タイヤ／車輪組立体２６の表面に隣接して据え付けられた時、該プローブ３８は該表面の振れを示す出力信号を発生する、すなわち該出力信号は該プローブとタイヤトレッド面間の間隔を示し、従ってこの間隔の変化に応じて変化する。
【００１６】
該プローブ３８は出力部で適切な導線５３を介して図５で線図的に示されている電子式処理装置２３に接続されている。該図解した好ましい実施例では、該電子式処理装置はインターフエースユニット５６を含んでおり、該ユニットに該プローブ３８が導線５３で接続されている。該インターフエースユニットは該プローブの出力をデータ取得システム５９にケーブル５８で接続されたコネクタ５７に導いているが、該データ取得システムは、該プローブから受信したアナログ信号を良く知られた仕方で該コンピュータ（又は他の処理装置）でデジタル処理するためにデジタル信号に変換するために、外部クロックを有するＡ/Ｄデータ取得ボード６１の様な従来型のアナログーデジタル変換回路を備えた携帯型計算機６０の形であるのが好ましい。該インターフエースユニット５６は又該プローブにより発生された該アナログ信号を別の出力部６３に供給する。
【００１７】
該プローブ３８の該トレッド面に対する適切な据え付けを容易にするために、それぞれのメータ６６上へ表示するよう、該プローブの出力はメータ駆動回路６５へ供給される。該プローブが該トレッド面に対し許容測定範囲を提供するよう何時位置付けられたかを示すよう該メータは更正（calibrated）される。例えばこの範囲は乗用車及び軽トラック用タイヤでは約±0.127cm(±0.05インチ）、より大型のトラック及びバス用タイヤでは約±0.635cm(±0.250インチ)である。該図解された実施例に於いては各メータは指針とゼロ点からの許容偏位範囲を確認する目盛りを備えている。従って該プローブは回転される該トレッド及びタイヤに隣接して据え付けることが出来る。該タイヤが回転されると、該指針が該許容範囲外へ動くかを見るよう注目する。もし範囲外へ動けば、該指針の動く範囲が該前記範囲内に留まるまで該プローブを据え付け直す。乗用車と軽トラック用タイヤ用及びより大型トラックとバス用タイヤ用の前記範囲の様な、異なった各範囲を提供するために該メータのゲーンを換えるため好ましくはスイッチ（図示せず）を備えるのが良い。
【００１８】
更に該インターフエースユニット５６は該インデックス装置２２の出力信号を該データ取得システム５９へ導くための回路６８を備えている。図示のように、該インデックス装置は４０９６パルスエンコーダの様なエンコーダ７０を含んでいるが、該エンコーダはケーブル導線７１を介して該インターフエースユニットのコネクタ７２に接続されている。該エンコーダは該エンコーダの回転入力シャフト７４（図２）の回転当たり４０９６個のパルスを供給し、それにより希望する高信号密度（high signal rate）を提供する。”読みとり”すなわちデータ取得を始動するために該エンコーダは、例えばプッシュボタン型の、スタートスイッチ７５と連携している。
【００１９】
図２及び図３に示すように、該エンコーダ７０の該回転入力シャフト７４は共に回転するために取り付け機構７８により該タイヤ車輪組立体２６に取り外し可能に結合される。該取り付け機構７８は、その中心で該エンコーダシャフト７４に設置された板の形の回転可能な設置部８０を含んでいる。該設置板（mounting plate）８０はそれに少なくとも１つの、そして好ましくは複数のソケット８１を設けている。種々の種類の車輪ラグパターンでの汎用目的で、該ソケット８１は該設置板８０に戦略的な角度で位置付けされたそれぞれの半径方向スロット８３ａー８３ｅに沿って半径方向に調整可能になっている。場合に応じて該車輪のラグナット、植え込みボルト或いはボルト｛ここでは纏めてラグ（lug)と引用するが｝を受ける又は捕捉するための素子を”ソケット”と引用しているが、この用語は該タイヤ／車輪組立体と関連して使用される該ラグナット、植え込みボルト、或いはボルト又は同種のものと契合出来る如何なる素子も含むよう意図している。該タイヤ／車輪／ハブ組立体と共に該エンコーダを回転させるように、下記の全てをここで使用する用語としての”取り付け手段（attachment means）”の範囲に属すると考える例えばクリップ、ピン、磁石等の様な他の取り付け素子を該タイヤ／車輪／ハブ組立体に何処か他に取り付けるために使用しても良いことは評価されるであらう。
【００２０】
各ソケット８１は該設置板８０内のそれぞれのスロットを通して伸びるボルトの形の延長支柱（extension post)８９を有している。該延長支柱（ボルト）は必要に応じて該半径方向のスロット８３に沿って半径方向に位置付けられ、次いでロックナット（jam nut）９０の様な適当な締め付け素子で適当に位置を固定される。該半径方向のスロット８３ａ−８３ｅは乗用車及び軽トラック用車輪と組み合わされた典型的な４個及び５個のラグのパターンのような種々のラグパターンを受け入れるよう配置されている。この目的のため、そして図３に示すように、該設置板８０は正反対の関係にある第２、第３スロット８３ｂ、８３ｃに対し直角に配置された第１のスロット８３ａと、該スロット８３ｂ、８３ｅとそれぞれ５４度の角度を形成する第４、第５スロット８３ｃ、８３ｄを有している。従って該スロット８３ａ，８３ｃ、８３ｄは５個のラグのパターンで使用され、スロット８３ａ、８３ｂ、８３ｅは４個のラグのパターンで使用出来る。好ましくは、該設置板を該タイヤ／車輪組立体へ安定して取り付けるために３個のソケットが使用されるのが良い。又、該ソケットが種々のラグ円直径用に該スロットの長さに沿って半径方向に調整することが出来る。
【００２１】
通常偶数個のラグが相互に正反対の関係にある少なくとも２つ使用されるより大型のタイヤ／車輪組立体に対しては、該設置板は図４に示すもう１つの設置用部材９２に取り替えられる。該設置用部材は、２つの正反対の関係の半径方向のスロット９３ａ、９３ｂと該エンコーダシャフト７４（図２）への設置用の中央孔９４を含む長い板又はバーの形状をしている。ソケットは各スロットに取り付けられ、該設置用バーの中央から等距離に、かつ、該正反対の関係の車輪ラグの間隔に等しい間隔に調整される。
【００２２】
該携帯用試験装置２０を説明したが、本発明の方法に従ったその使用と操作を次いで説明する。最初に、車両２９上のタイヤ／車輪組立体２６の元の位置での試験のために、回転出来るように該車両がジャッキアップされるか、該タイヤ／車輪組立体が別途床から持ち上げられる。図１に示すように半径方向の振れ測定のために該トレッド５０の様なモニターされるタイヤ／車輪組立体の表面に隣接して該プローブ３８が据え付けられる。又該車輪支持ハブ２８へ該タイヤ／車輪組立体を保持している該車輪ラグ９６（図２）へ固定するために該取り付け機構７８はそのソケットをパターンに位置付けるため必要に応じて調整される。
【００２３】
さて該インデックス装置２２は該エンコーダの該ハウジング９７（図２）で操作者により保持され、該取り付け機構のソケットは、該タイヤ／車輪組立体の回転が該エンコーダシャフト７４の回転をもたらすように該車輪ラグ（図１に示すように）と契合している。次いで該エンコーダ７０上の該スタートスイッチ７５はデータ収集を開始するために駆動される。該スタートスイッチの起動は該エンコーダ７０及び該１個のプローブ又は複数のプローブ３８から受信するデータの記録を開始するため計算機６０にトリガ信号を送る。次いで該タイヤが完全な１回転を回る間に該エンコーダは該タイヤ／車輪組立体の回転位置を示すパルスを発生する。該図解された実施例では各パルスは該タイヤ／車輪組立体の回転の３６０／４０９６度を表す。使用されている該１個のプローブ又は複数のプローブの出力信号のサンプリングを制御するために、該エンコーダの出力は上記Ａ／Ｄデータ取得ボード６１用の外部クロックとして使用される。従って該図解されたシステムでは、該タイヤ／車輪組立体の１回転に対し各プローブから４０９６個のデータ点が得られる。勿論、所望すれば他のサンプリング密度（sampling rates）を使うことも出来ることは評価されるであらう。又、唯１回転のデータで半径方向の振れを測定するには充分であることが分かったが、該タイヤ／車輪組立体の１回転より多い回転のデータが集められ、平均されても良い。
【００２４】
データ収集の始動時に最初にモニタされた該タイヤ／車輪組立体の表面の円周上の位置が確認されることが好ましい。従来のマーカーにはバルブステムや該タイヤ寸法のスラッシ記号等が含まれる。従ってタイヤ上のデータ収集スタート点を確認するためにこれらのマーカーのいずれか１つが該プローブと整合するように該タイヤ／車輪組立体を回転させるのが好ましい。結果として該計算機により取得されるたわみのデータは該タイアに対し位置的相関を取ることが出来る。
【００２５】
データの完全なセットが一旦収集されると、該計算機６０（又は他の処理装置）は該データを解析し、該タイヤ／車輪組立体２６の均一性／不均一性を表す少なくとも１つのパラメータを示す出力を提供する。現在のシステムに使用されていると同様な種々の公知の又は容易に開発されるソフトウエアパッケージ／アルゴリズムが該必要な出力読み値（readings）を得るために使用されて良い。半径方向の振れ用の典型的なパラメータにはピーク対ピーク、高低点の確認(identification of high and low spots)、該データセットの高速化したフーリエ変換の第１調波、第２調波その他が含まれる。該出力読み値は計算機デイスプレー９８にグラフ式にか数値的に表示され  及び／又は  該計算機と接続されたプリンタ（図示せず）にプリントアウトされても良い。該データは後刻の処理用に追加的に又は代わりに保存されても良い。
【００２６】
本発明は或１つの好ましい実施例又は複数の実施例に関して示し、説明して来たが、この仕様と付属する図面を読み、理解すれば当業者には等価な変更や変型が行えることは明らかである。特に上記説明の完全体（部品、組立体、装置、合成物等）により実行される種々の機能に関して、これらの完全体を説明するため使用された用語（”手段”を引用することを含めて）は、他のように指示してなければ、例えここで図解した本発明の例としての１つの実施例又は複数の実施例の機能を実行する開示された構造と構造的に等価でなくても、該説明された完全体の特定された機能を実行する如何なる完全体にも対応するよう意図している。更に、本発明の特定の特徴が幾つかの図解された実施例の唯１つに関して上記で説明されているが、かかる特徴は、いずれの既存の又は特定の応用に要求されており有利であるように、他の実施例の１つ以上の他の特徴に組み合わせても良い。
【００２７】
本発明の特徴及び態様を示せば以下のとおりである。
【００２８】
１．車両の車輪支持ハブ上で元の位置でタイヤ／車輪組立体の不均一性を測定するための携帯型試験装置に於いて、
該タイヤ／車輪組立体の回転中に該タイヤ／車輪組立体の表面のたわみをモニターして該表面たわみを示す第１の出力信号を発生するプローブと、
均一性をモニターされる該タイヤ／車輪組立体の表面に隣接して該プローブを保持するためのホルダーと、
回転中に該タイヤ／車輪組立体の回転位置を示す第２の出力信号を発生するためのインデックス装置であって、該タイヤ／車輪組立体へ取り外し可能に結合するための取り付け機構を有しているインデックス装置と、
該タイヤ／車輪組立体の該不均一性を表す少なくとも１つのパラメータを示す出力を供給するために該プローブ及びインデックス装置からの第１及び第２出力信号を受信し処理するための電子式処理装置を具備することを特徴とする
携帯型試験装置。
【００２９】
２．１の携帯型試験装置に於いて、該インデックス装置はハウジングと、読み取り動作を始動するための該ハウジング上のスタートスイッチとを有しており、該読み取り動作の間、該タイヤ／車輪組立体が回転中に該プローブとインデックス装置からの第１及び第２出力信号を該電子処理装置が受信することを特徴とする携帯型試験装置。
【００３０】
３．２の携帯型試験装置に於いて、該インデックス装置は該取り付け機構へ連結された、回転の入力を有するエンコーダを含むことを特徴とする携帯型試験装置。
【００３１】
４．１の携帯型試験装置に於いて、該インデックス装置は該タイヤ／車輪組立体と契合した取り付け機構を有する該タイヤ／車輪組立体に隣接して位置付けるために使用者の手中に保持するよう適合されたハウジングを備えることを特徴とする携帯型試験装置。
【００３２】
５．１の携帯型試験装置に於いて、該取り付け機構は該タイヤ／車輪組立体を該車輪支持用ハブに固定するそれぞれのラグナット／ボルトを受けるための少なくとも１つのソケットを備えることを特徴とする携帯型試験装置。
【００３３】
６．５の携帯型試験装置に於いて、該取り付け機構は該少なくとも１つのソケット用の回転可能な設置部を備えており、該少なくとも１つのソケットは該回転可能な設置部上で、該回転可能な設置部の回転軸線に対し半径方向に調整可能であることを特徴とする携帯型試験装置。
【００３４】
７．６の携帯型試験装置に於いて、該回転可能な設置部は複数の半径方向に伸びるスロットを備えており、該少なくとも１つのソケットはそれぞれのスロットに沿って調整するために該回転可能な設置部に設置された複数のソケットを備えることを特徴とする携帯型試験装置。
【００３５】
８．７の携帯型試験装置に於いて、該複数の半径方向に伸びるスロットは正反対の関係にある第２、第３のスロットに直角に配置された第１のスロットと、該第２及び第３のスロットとそれぞれ５４度の角度を形成する第４及び第５のスロットを備えることを特徴とする携帯型試験装置。
【００３６】
９．２の携帯型試験装置に於いて、該複数の半径方向に伸びるスロットは１対の正反対の関係にあるスロットを含むことを特徴とする携帯型試験装置。
【００３７】
１０．２の携帯型試験装置に於いて、該取り付け機構は該タイヤ／車輪組立体を該車輪支持用ハブに固定するそれぞれのラグナット／ボルトを受けるための少なくとも１つのソケットと、該少なくとも１つのソケット用の回転可能な設置部とを備えており、該回転可能な設置部はその回転中心で該エンコーダの回転入力シャフトに設置されることを特徴とする携帯型試験装置。
【００３８】
１１．１の携帯型試験装置に於いて、該電子式処理装置は該タイヤ／車輪組立体の不均一性を表す少なくとも１つのパラメータのグラフ式表示を提供することを特徴とする携帯型試験装置。
【００３９】
１２．１の携帯型試験装置に於いて、該プローブの適当な作動を可能にするために該プローブをモニターされる該表面から所定の間隔内に据え付けることを可能にするためのプローブ据え付け装置を具備することを特徴とする携帯型試験装置。
【００４０】
１３．１２の携帯型試験装置に於いて、該プローブ据え付け装置は該プローブの出力を示すパラメータを表示するための表示部を備えることを特徴とする携帯型試験装置。
【００４１】
１４．１の携帯型試験装置に於いて、該ホルダーは該プローブを設置するスタンドを備えており、該スタンドは水平面上に安定に静止するよう適合されていることを特徴とする携帯型試験装置。
【００４２】
１５．１４の携帯型試験装置に於いて、該プローブは調整可能な支軸により該スタンドに設置されていることを特徴とする携帯型試験装置。
【００４３】
１６．１５の携帯型試験装置に於いて、調整可能な支軸により該スタンドに設置された第２のプローブを備えていることを特徴とする携帯型試験装置。
【００４４】
１７．回転部材の不均一性を測定する方法に於いて、
均一性をモニターされる回転部材の表面に隣接してプローブを配置する工程を具備し、該プローブは該回転部材の回転中該回転部材の表面のたわみをモニターし、該表面のたわみを示す第１の出力信号を発生するよう作動し、
インデックス装置を該回転部材に取り外し可能に結合する工程を具備し、該インデックス装置は回転中該回転部材の回転位置を示す第２の出力信号を発生するよう作動し、
該プローブと該インデックス装置に第１及び第２出力信号を発生させるよう該回転部材を回転させる工程と、
該回転部材の該不均一性を表す少なくとも１つのパラメータを示す出力を供給するために該プローブと該インデックス装置により発生された該第１及び第２出力信号を受信し処理するために電子式処理装置を使用する工程とを具備することを特徴とする方法。
【００４５】
１８．１７の方法に於いて、読み取り動作を始動するために該インデックス装置のハウジング上のスタートスイッチを使用する過程を備えており、該読み取り動作の間、該回転部材が回転中該プローブとインデックス装置からの該第１及び第２出力信号を該電子式処理装置が受信することを特徴とする方法。
【００４６】
１９．１７の方法に於いて、該インデックス装置は使用者の手により該回転部材と契合して保持されることを特徴とする方法。
【００４７】
２０．１７の方法に於いて、該回転部材は車両のハブ支持用車輪上の元の位置にあるタイヤ／車輪組立体であり、該インデックス装置は該タイヤ／車輪組立体を該車輪支持用ハブに固定するそれぞれのラグナット／ボルトを受けるための少なくとも１つのソケットを備える取り付け機構により該タイヤ／車輪組立体に結合されていることを特徴とする方法。
【００４８】
２１．２０の方法に於いて、回転可能な設置部上で該ソケットの半径方向位置を調整する工程を具備することを特徴とする方法。
【００４９】
２２．１の方法に於いて、該回転部材の不均一性を表す少なくとも１つのパラメータのグラフ式表示を提供するために電子式処理装置が使用されることを特徴とする方法。
【００５０】
２３．１の方法に於いて、該プローブに適切な動作を行わせるために該プローブをモニターされる該表面から所定の間隔内に据え付けるために該据え付け過程がプローブ据え付け装置を使用することを備えることを特徴とする方法。
【００５１】
２４．１２の方法に於いて、該プローブ据え付け装置は該プローブの出力を示すパラメータを表示するために使用されることを特徴とする方法。
【００５２】
２５．１の方法に於いて、該据え付け過程がモニターされる表面に隣接する動作位置に該プローブを据え付けるために該プローブを保持する可撓性の支軸を曲げることを含むことを特徴とする方法。
【００５３】
２６．回転部材の不均一性を測定するために有用な携帯型試験装置に於いて、
該回転部材の回転中に該回転部材の表面のたわみをモニターし該表面のたわみを示す第１の出力信号を発生するためのプローブと、
均一性をモニターされる該回転部材の該表面に隣接して該プローブを保持するためのホルダーと、
回転中に該回転部材の該回転位置を示す第２の出力信号を発生するためのインデックス装置とを具備し、該インデックス装置は該回転部材への取り外し可能な結合のための取り付け機構を有することを特徴とする携帯型試験装置。
【図面の簡単な説明】
【図１】本発明による測定システムの斜視図である。
【図２】図１のシステムで使用されるインデックス装置の拡大立面図である。
【図３】図２の３ー３線から、かつ軸線方向に見た回転型の設置部材の図である。
【図４】図３の設置部材の代わりに使用可能なもう１つの形の設置部材の軸方向から見た図である。
【図５】該システムの電気部品の線図である。
【符合の説明】
２０  携帯型振れ測定システム
２１  プローブ組立体
２２  インデックス装置
２３  電子式処理装置
２６  タイヤ／車輪組立体
２８  ハブ
２９  車両
３０  タイヤ
３１  車輪
３４  カート
３８  プローブ
３９  スタンド
４０  支軸
４２  ３角板
４３  ハンドル
４５ー４７  足部
５０  トレッド
５３  導線
５６  インターフエースユニット
５７、７２  コネクタ
５８  ケーブル
５９  データ取得システム
６０  携帯型計算機
６１  Ａ/Ｄデータ取得ボード
６３  出力部
６５  メータ駆動回路
６６  メータ
６８  回路
７０  エンコーダ
７１  ケーブル導線
７４  回転入力シャフト
７５  スタートスイッチ
７８  取り付け機構
８０  設置板
８１  ソケット
８３ａ、８３ｂ，８４ｃ，８３ｄ、８３ｅ、９３ａ、９３ｂ  スロット
８９  支柱
９０  ロックナット
９２  設置部材
９４  中央孔
９６  車輪ラグ
９７  ハウジング
９８  計算機デイスプレー
【図１】
0004039729.tif 000002
【図２】
0004039729.tif 000003
【図３】
0004039729.tif 000004
【図４】
0004039729.tif 000005
【図５】
0004039729.tif 000006